(57)【要約】三次元画像を作り出すための器具が開示される。その装置は、少なくとも４個のミラーを有しており、それらのミラーは、内側セット及び外側セットとして配列される。好ましくは円筒形である囲いは、ミラーと、配列された装置とを収容し、３つの異なる位置にセットされることができる。カメラは、二次元写真を撮るか、或いは、前方視、後方視といった三次元写真撮影の２つのモードで機能することができる。この装置は、好ましくはデジタルカメラに取り付けられる。その装置はまた、デジタルカメラが手持ち型のパーソナル・コンピューティング・デバイス、例えば、ハンドスプリング（登録商標）社によって製造されたハンドスプリング（登録商標）ビソール（登録商標）コンピュータに取り付けられている場合にも使用することができる。本発明の好ましい実施形態においては、４個の内側ミラーと、１個の外側ミラーセットを含む６個のミラーがある。
2004510173.tif 000002
【特許請求の範囲】
【請求項１】
１個の単レンズを用いて三次元モデルを作り出すための器具であって、
ａ）前記レンズの前に配置された１組の第１内側ミラー対であって、この第１内側ミラー対は、その反射面が９０度以下の角度をなすように、前記レンズの光軸に沿って位置する第１ヒンジで連結されていることを特徴とする１組の第１内側ミラー対と、
ｂ）前記レンズの前に配置された１組の第２内側ミラー対であって、この第２内側ミラー対は、その反射面が１２０度以上の角度をなすように、第２ヒンジで連結されていることを特徴とし、前記第１内側ミラー対及び前記第２内側ミラー対は、反射面のなす角度を同じ角度ではあるがレンズの光軸に対して反対方向に変化させるように、１組の第３ヒンジによって連結されていることを特徴とし、
ｃ）前記器具が回転できるように、双方の内側ミラー対を囲むハウジングと、
からなる器具。
【請求項２】
前記ハウジング内の１組の外側ミラー対を更に含み、この外側ミラー対は、前記第１内側ミラー対が該外側ミラー上に反射をするように並べられることを特徴とする請求項１の器具。
【請求項３】
二次元モデルが前記レンズから作られるように、前記第１内側ミラー対及び前記第２内側ミラー対が前記レンズの視野から外れる位置へ、前記ハウジングを移動できることを特徴とする請求項１の器具。
【請求項４】
前方三次元モデルを作り出すように、前記レンズに前記第１内側ミラー対及び前記第２内側ミラー対が面する位置へ、前記ハウジングを移動できることを特徴とする請求項１の器具。
【請求項５】
後方三次元モデルを作り出すように、前記レンズに前記第２内側ミラー対が面する位置へ、前記ハウジングを移動できることを特徴とする請求項１の器具。
【請求項６】
前記モデルが顔面モデルであることを特徴とする請求項１の器具。
【請求項７】
前記顔面モデルが三次元であることを特徴とする請求項６の器具。
【請求項８】
前記ハウジングが、前記レンズの光軸に直角な軸の周りに１８０度回転できることを特徴とする請求項１の器具。
【請求項９】
４本の回転軸のセットの周りの２セットのミラー間の少なくとも１つの内角を調整するメカニズムを含み、単レンズを用いて三次元モデルを作り出す器具であり、そのメカニズムが、
ａ）前方視ミラー・セットが接する第１軸を、光軸を含む平面に位置合わせするための中央の組合せメカニズム、
ｂ）両セットのミラーが対をなし、レンズの光軸に対して同時に反対方向に等しく角度を変えることを可能とする、４つの外側の組合せメカニズムのセット、
ｃ）レンズの光軸を含む面に接するように、前方視ミラー・セットを位置付ける組合せメカニズムにおける第２中央滑り軸、
からなることを特徴とする器具。
【請求項１０】
単レンズを用いて三次元モデルを作り出す器具であり、
ａ）第１側部の反射面がほぼ９０度の角度を作り、第２側部の反射面がほぼ１２０度の角度を作るような、第１側部及び第２側部を有することを特徴とする、レンズの前のＶ字状の内側ミラー対、
ｂ）器具の回転を可能とし、内側ミラー対を含むハウジング、
からなる器具。
【請求項１１】
前記第１内側ミラー対が前記外側ミラー対上に反射するように位置合わせされた、前記ハウジング内の外側ミラー対を更に含むことを特徴とする、請求項１０の器具。
【請求項１２】
二次元モデルがレンズによって作られるように、前記第１内側ミラー対及び前記第２ミラー対がレンズの視野から外れる位置へ、前記ハウジングが移動することを特徴とする、請求項１０の器具。
【請求項１３】
前方三次元モデルが作られるように、前記第１内側ミラー対が前記レンズに向かい合う位置へ、前記ハウジングが移動することを特徴とする、請求項１０の器具。
【請求項１４】
後方三次元モデルが作られるように、前記第２内側ミラー対が前記レンズに向かい合う位置へ、前記ハウジングが移動することを特徴とする、請求項１０の器具。
【請求項１５】
前記モデルが顔面モデルであることを特徴とする、請求項１０の器具。
【請求項１６】
前記顔面モデルが三次元であることを特徴とする、請求項１５の器具。
【請求項１７】
前記ハウジングが、前記レンズの前記光軸に直角な軸に沿って１８０度回転可能であることを特徴とする、請求項１０の器具。
【発明の詳細な説明】
【０００１】
（関連する出願の参照）
本出願は、２０００年５月２４日に出願された「３−Ｄ画像を作成する装置」として題された仮出願番号６０／２０６，７５０号及び２０００年７月２０日に出願された「３−Ｄ画像を作成する装置」として題された仮出願番号６０／２１９，５４３号で開示されている発明を請求する。アメリカ合衆国仮出願の３５ＵＳＣ§１１９（ｅ）の利点がここで請求され、前記出願は、参照として組み入れられる。
【０００２】
（発明の背景）
（発明の分野）
本発明は、立体画法あるいは「３Ｄ」写真撮影と写真測量法の分野に関する。より具体的には、本発明は、画像の三次元モデルを作り出す単レンズ器具に関する。
【０００３】
（関連技術の記載）
立体画法の写真撮影は、分かれた左右眼用の画像を記録することによる明確な三次元の画像形成の方法である。見る者は、２つに分かれた２Ｄ画像を同時に見ることにより３Ｄ画像を再構成する。立体画法の写真撮影は、１９世紀後半から知られており、ステレオ・ビューアーは一般的な室内のアクセサリーであった。
【０００４】
そのようなステレオ写真は、伝統的には１台のカメラの２つのレンズで作られ、レンズはおよそ人の頭の視差分離して配置される。１９５０年代に好評だった３５ミリのスチール・カメラのステレオ・リアリスト（登録商標）シリーズは、この種類の画像化の例である。左右の像は、３５ミリフィルムのオルタネート・フレームの２つのレンズ／シャッターのセットを通じて同時に記録される。後のニムスロ（登録商標）システムは、本質的に同じ方法で４つのレンズを用いた。
【０００５】
立体動画は、１９５０年代に出現した。画像は、大体２つのシンクロナイズド・カメラ又は１台のカメラの２つのレンズ・システムのどちらかを用いて作られた。同様に、いくつものステレオ・テレビ・システムは、大体２つのカメラ（リプトン（Ｌｉｐｔｏｎ）等による米国特許第４，５８３，１１７号を参照せよ）、又は２つのレンズを取り付けた１台のカメラ（リプトン（Ｌｉｐｔｏｎ）等による米国特許第４，５２３，２２６号を参照せよ）を用いた。
【０００６】
全ての多数カメラ・システムは、付随する複雑さ、完璧なカメラ・システムを複製する費用、２つに分かれた画像の同期化（これは、フィルム（ビデオではなく）への応用で特に問題となる）といったいくつもの欠点を有する。更に、２つに分かれたレンズ（１つあるいは２つのカメラのどちらか）の使用は、焦点及び像の同期化の問題を引き起こす。
【０００７】
この後の問題を解決する必要性は非常にあるが、従来技術の装置では取り組まれていない。２つのカメラを単純に並行に搭載することは、左右眼用の画像を撮ることを可能とし、カメラは対象が何であれ（動く対象のフォーカス追従機能は問題があるが）焦点を合わすことが可能である。
しかしながら、単純に２つの目で見る以上に立体像が多い。単純な実験がこの問題を示す。もしある者が腕の長さで指を立て、顔に徐々に近づけたら、指が近づくにつれ、単に目が指に焦点を合わせる以上のことをすることが明白である。また自主的にそれぞれの目を向けようとし、指が顔に近づくにつれより一層「内斜視」となる。
この適合がないため大部分の３Ｄフィルムは、カメラの視点が人の本能が予想するように移らないので、変化した視点への明らかな画像の相違として不快感を引き起こす傾向があった。
【０００８】
更に、固定された集光又は部分的、手動による調整可能な集光システムは、焦点及び／又はレンズの焦点距離が変化するにつれ視野の重なりが変化しなければならないという問題に対応しない。２つの画像の重なりは、特に２つの画像をデジタル化し、周囲の三次元写真を形成する情報を用いるシステムにおいて最大化するべきである。
【０００９】
２つの画像を撮るための１台のカメラの使用を可能とすることにより立体画法プロセスを単純化することを目的とした装置がいくつもあった。
これらの大部分は、いくつものミラー、プリズムを、カメラ・レンズの前あるいは１つの第２レンズと１つの第１レンズ対の間で用いられる。
【００１０】
動画においてのみ役立つ１つの方法は、フィルム又はビデオのオルタネート・フレームで２つの画像を連続して記録することである。フィルムでは、同期化された回転ミラーは、フィルム・ゲートあるいはビデオ・スキャンで同期化して記録されるべき視野を選択するために用いられる。
そのような装置は、ラチュリッペ（Ｌａｔｕｌｉｐｐｅ）による米国特許第３，２５４，９３３号を参照せよ。ビデオでは、このシステムは、２つのソースからオルタネート・フレームを、コンピュータを用いて選択する。この方法は、鑑賞のため複雑化した同期化グラスを必要とし、動画又はビデオに対してのみ適用が可能であるといういくつもの不利な点がある。
【００１１】
代替案は、両方の画像をそれぞれのフレームで並行あるいは一方を他方の上に乗せ同時に記録することである。この方法は、静止画、動画、シルバー画像、ビデオどのような写真撮影に対しても適用できる。
両方の画像が常に存在し、単レンズを使用するアダプターがフィルム転送、ビデオ・スキャンと同期化する必要がないので、表示は単純化される。
【００１２】
単純なプリズム、あるいはミラーを基礎とした立体画法アダプターは、時としてスチール・カメラに利用可能である。アダプターは、距離を詰める部品又は望遠アダプターと同じようにカメラ・レンズの前で適合する。これらは、対物レンズの距離が変化するにつれて、集光又は焦点のためのアダプターの調整する手段を持たない。
【００１３】
マークス（Ｍａｒｋｓ）等による米国特許第４，１７８，０９０号は、単レンズの前で付属部品を用いたシングル・フレームで垂直に配置された左右の画像を作る。１つの画像は直線状であり、２番目の画像は一対のプリズムを通して撮られる。
レンズの前の調整可能なブロックは、上部がソリッド・グラスであり底部が反射的である。集光は、調整可能なブロックとレンズ焦点制御を回転させるウォームギアの機械的な連結により、レンズが焦点を回転制御されるにつれ調整される。
ブロックが回転するにつれ、２つの視野の内の１つだけが角度を変えるのでこの調整は、焦点の本当の自動集光制御には不十分である。
【００１４】
ブコウスキー（Ｂｕｋｏｗｓｋｉ）（Ｏｐｔｉｍａｘ ＩＩＩ， Ｉｎｃ．）は米国特許第４，４３６，３６９号で、組み合わされた焦点メカニズムと２つの一次レンズを用いたミラーを基礎としたアダプターを示す。２対の固定ミラーは、左右の画像をフィルム・フレームの上部及び底部に導く。レンズの光軸は平行かつ固定されており、２つのレンズの集光又は目標とする点はレンズの焦点が合わせられても変化しない。
【００１５】
またファゼッカス（Ｆａｚｅｋａｓ）（Ｐａｎａｖｉｓｉｏｎ， Ｉｎｃ．）の米国特許第４，５２５，０４５号は、２つの一次レンズ及び２対の固定ミラー／プリズムを有する。「水平調整」が、２つのレンズの垂直な配置を補正するために１つのレンズをカメラマンが移動できるように提供されるが、レンズの光軸は固定され平行である。
【００１６】
ロックステッド（Ｒｏｃｋｓｔｅａｄ）は米国特許第４，５６８，９７０号で、テレビ・カメラの前で適合するアダプターを用いる。ミラー又はプリズムの対は、ビデオ・フレームで画像の対を作るために用いられ、見ている者の目の前の同様の装置が２つの画像を１つの３Ｄ画像に再構築する。
ノブは、オペレーターが、並行する２つの画像を作るためにミラー／プリズムの光軸の集光を手動で調整することを可能とする。
【００１７】
本発明者による米国特許第５，５３２，７７７号、第５，８２８，９１３号及び第５，８８３，６６２号は、対象の距離に対応して画像収集装置の集光を調整することにより画像の重なりが最大化される、対象の左右１対の画像を作り出すための装置及び方法を開示する。２対で４つのミラーのセットを有するアダプターは、カメラ・レンズの前に配置される。２つの外側のミラーはレンズの光軸に沿って通常外側を向き、２つの内側のミラーは通常レンズの内側を向き、４つのミラーの中央は共通の中央線上に配置される。
外側の２つのミラーの中央は、適切な視差分離して配置される。２つの内側のミラーは、２つ共レンズの全ての視野を覆うのに充分な大きさであり、各々が半分の視野領域を取る。２つの外側のミラーは、内側の対よりも大きく、内側の対の視野領域の減少を避ける視野領域をカバーするのに充分な大きさである。
２つの外側のミラーの集光は、ミラーを１つに組み合わせたメカニズムで中央線周りに同時に等しく回転することにより調整が可能である。中央の２つのミラーは固定でき、あるいはカメラ・レンズの光軸に沿ってそれぞれの片側がもう一方と接近して保持されるように旋回し調整することができ、光軸に対して４５度あるいはそれ以下の角度を作る。
【００１８】
（発明の要約）
三次元画像を作るための装置が開示されている。装置は、内側及び外側セットに配置される少なくとも４つのミラーを有する。開示されている装置は、好ましくは、円筒形状であり、ミラー及び装置の配列を収容し、３つの違った位置に配列することが可能である。カメラは、２次元の写真を撮るか、三次元写真の２つのモデル、すなわち前方視と後方視を操作する。この装置は、好ましくは、デジタルカメラに取り付けられる。
【００１９】
（発明の詳細な説明）
図１から図４を参照すると、三次元モデルを作るための単レンズを用いた器具が示される。本発明の装置により作られる三次元モデルの種類の一例は、顔面の形態である。ミラー（１０）及び（１１）の４つは、カメラ・レンズ（９）の手前にある。全体のメカニズムは好ましくは、結果として自由に回転できるように、囲い（１４）によって支持される管（１３）に収容されている。
【００２０】
内側ミラー（１０）及び（１１）は、レンズに対して以下の定位を持つ。（ａ）一定の前方二次元視を可能とするために、光軸に平行でレンズの行路からはずれている（図１ａ、２ａ、３ａ、４ａ）、（ｂ）米国特許第５，５３２，７７７号に詳述されるような前方三次元視を可能とするために、レンズと向かいあうミラー対（１０）を備えている（図１ｂ、２ｂ、３ｂ、４ｂ）、（ｃ）ゴシュタスビー（Ｇｏｓｈｔａｓｂｙ）とグルーバー（Ｇｒｕｖｅｒ）（Ｄｅｓｉｇｎ ｏｆ ａ Ｓｉｎｇｌｅ−Ｌｅｎｓ Ｓｔｅｒｅｏ Ｃａｍｅｒａ Ｓｙｓｔｅｍ， Ｐａｔｔｅｒｎ Ｒｅｃｏｇｎｉｔｉｏｎ， １９９３， Ｖｏｌ．２６（６）：９２３−９３７）によって示されるような後方三次元視のためにレンズと向かい合うミラー対（１１）を備えている。（図１ｃ、２ｃ、４ｃ）
【００２１】
外側ミラー対（１２）は、レンズ（９）の光軸に沿って外側を向いている。外側ミラー対（１２）は、左及び右の視野が、レンズ（９）の正面に好ましくは約５０ｃｍ重複するように集光する向きとされる。内側ミラー対（１０）及び（１１）は、対（１０）の反射面が９０度以下の角度をなし、対（１１）の内側反射面が１２０度以上の角度をなすように向けられる。
【００２２】
内側ミラー対間の角度は、左及び右の視野がレンズの手前（図１ｂ）あるいは後ろ（図１ｃ）で重複するところの平面が調節できるように、変化可能に作られる。（図２参照）ミラー・セット（１０）及び（１１）を調節するためのメカニズムは、ミラー・セット（１０）及び（１１）の両方が等しく角度を変えるが、米国特許第５，５３２，７７７号に記載されるようにレンズの光軸に関して反対方向へ角度を変えることを確実にする。
【００２３】
ミラー・セット（１０）は、軸のヒンジ（２）でミラーの内側に連結し、そこにおいてミラー・セット（１０）の外端は軸のヒンジ（３）によって支持される。ミラー・セット（１１）は軸のヒンジ（１）で内側に連結し、そこにおいてミラー・セット（１１）の外端は軸のヒンジ（３）によって支持される。軸のヒンジ（１）の端部にあるガイド（５）は、ガイド（５）をレンズ（９）の光軸を通る平面に配置しておく組合せ手段（７）によって支持される。軸のヒンジ（２）に全てある制御ホイール（８）及びカム（４）を含むユニットは、２つのミラー・セット（１０）と（１１）の間の角度及び集光が変化可能であるようにガイド（５）の位置を制御する。
【００２４】
図２ａでは、正面図はミラー・セット間の角度を調節するためのメカニズムの詳細を含む。ミラー（１０）及び（１１）は、図１ａに示されるような二次元視のためにレンズの視野から外れる。円筒状のハウジング（１３）は図示されていない。図２ｂでは、図１ｂのような後方三次元視のために用いられるミラー（１０）の正面図が示される。図２ｃでは、図１ｃのような後方三次元視のために用いられるミラー（１１）の正面図が示される。明確には、制御ホイール（８）及びカム（４）は図２ａから図２ｃには示されていない。
【００２５】
図３ａでは、正面図はミラー・セット間の角度を調節するためのメカニズムの詳細を含む。ミラーは、図１ａに示されるような二次元視のためにレンズの視野から離れて位置する。制御ホイール（８）は、カム（４）を介してミラー・セット（１１）をミラー・セット（１０）のより近くへ引っ張る。図３ｂでは、正面図はミラー・セット間の角度を調節するためのメカニズムの詳細を含む。ミラーは、図１ｂに示されるように位置する。制御ホイール（８）は、カム（４）を介してミラー・セット（１１）をミラー・セット（１０）から遠ざけるように押し離す。図３ｃは、ミラー・セット間の角度を調節するメカニズムの詳細を備えた図３ａの側面図を示す。組合せ手段（７）中のガイド（５）を介した軸（１）及び組合せ手段（６）中の軸（３）は両方とも自在に動き、そこにおいて制御ホイール（８）及びカム（４）を備えた軸（２）は固定された位置を有する。図３ｄは、ミラー・セット間の角度を調節するメカニズムの詳細を備えた図３ｂの側面図を示す。図３ｄは図３ｃと類似するが、制御メカニズムはミラー・セット（１０）と（１１）の間の最大角度に対してセットされる。
【００２６】
本発明の別の実施形態では、本発明の装置は、図４ａから図４ｃに示されるような１セットの４つのミラーを持つ。ミラーのうち２つは、Ｖ字状（１５）であり、カメラ・レンズ（９）の手前に見られる。Ｖ字状の対（１５）の位置は二次元視（図４ａ）のためのレンズの像を妨害しない。前方三次元視（図４ｂ）の視野を反射するミラー側面は約９０度の角度をなし、そこにおいて左及び右の視野は、装置を持つ人物から約１ｍ離れて立っている人物の顔を囲むのに十分なように、レンズからある距離をおいて重なる。後方三次元視（図４ｃ）の視野を反射するミラー側面は、約１２０度の角度をなし、そこにおいて左及び右の像は、装置を持つ人物の顔を囲むのに十分なように、レンズからある距離を置いて重なる。
【００２７】
図５ａ及び図５ｂを参照すると、装置は、調節範囲が拡大されるように外側ミラー（１２）を内側ミラー・メカニズムに連結する。図５ａは、距離をおいたセッティングのための調節の例を示し、図５ｂは近いセッティングのための調節を示す。固定軸（１６）は、外側ミラー（１２）がその軸の周りを内側ミラー（１０）と平行に回転するように、外側ミラー（１２）の外端に取り付けられる。リンケージ（１７）は、外側ミラー（１２）が内側ミラー（１０）と一緒に動くように、外側ミラー（１２）の内端に取り付けられた制御アーム（１８）とリンクする。制御アーム（１８）はまた、自由に動く軸（３）に取り付けられる。
【００２８】
図６を参照すると、囲い（１４）は好ましくは円筒状であり、ミラー装置を収容する。囲いは好ましくは、プレキシガラスで作られるが、いかなる材料、好ましくは壊れない材料でも作ることができる。囲い（１４）は、装置が自由に回転できるようにし、ミラー・セットが３つの位置を持つようにする。その位置により、装置は二次元像と、前向き及び後ろ向き三次元像の両方を作ることができる。装置がデジタル・カメラに取り付けられる場合（あるいはＰＤＡへ取付けられる、図７参照）、例えば、囲い（１４）は装置全体を不使用時に外すことができる。囲い（１４）は１８０度回転可能である。このことは、後ろ向きの像を作り、ユーザは自分自身の三次元写真を撮ることができる。
【００２９】
図７に、本発明の使用例が示される。２個の内側ミラー（３０）及び２個の外側ミラー（４０）は、デジタルカメラ（５０）に接続されており、このデジタルカメラは、手持ち式のパーソナル・コンピューティング・デバイス、或いは、パーソナル・デジタル・アシスタント（ＰＤＡ）（６０）、例えば、ハンドスプリング（登録商標）社によって製造されたハンドスプリング（登録商標）ビソール（登録商標）コンピュータ、或いは、パームコンピューティング社によって製造されたパーム（登録商標）パイロット・コンピュータの外付けである。
【００３０】
本発明の装置によれば、二次元、前方三次元視、後方三次元視、といった３つの異なるタイプの画像をデジタルカメラで撮ることができる。撮ることができる１つのタイプの画像は、個人の顔の形態である。例えば、この装置は、三次元の顔認識のために利用することができる。後方向きを選択することにより、手持ち式のパーソナル・コンピューティング・デバイス（６０）のユーザが自分の顔をその装置で撮影することが可能となる。図６に示される囲い（１４）は、また、装置の一部であるが、デジタルカメラ（５０）及び手持ち式のパーソナル・コンピューティング・デバイス（６０）に対するミラーのより良い視野を提供するためだけに含まれているのではない。
【００３１】
従って、ここに記述された発明の実施形態が、発明の原理の単なる実例に過ぎないことが理解されるべきである。例証された実施形態の詳細への言及は、請求の範囲を限定するものではなく、発明に不可欠とみなされる特徴を列挙するものである。
【図面の簡単な説明】
【図１】
１ａは、一定の前方二次元視を作る、本発明の装置の第１構成を示す。
１ｂは、前方三次元視を作る、本発明の装置の第２構成を示す。
１ｃは、後方三次元視を作る、本発明の装置の第３構成を示す。
【図２】
２ａは、ミラー・セット間の角度を調節するためのメカニズムの詳細を備えた正面図であり、ミラーは図１ａに示されるような二次元視のためにレンズの視野から外れる。
２ｂは、図１ｂに示されるような前方三次元視のために用いられるミラーの正面図である。
２ｃは、図１ｃに示されるような後方三次元視のために用いられるミラーの正面図である。
【図３】
３ａは、ミラー・セット間の角度を調節するためのメカニズムの詳細を備えた正面図である。
３ｂは、ミラー・セット間の角度を調節するためのメカニズムの詳細を備えた正面図である。
３ｃは、ミラー・セット間の角度を調節するためのメカニズムの詳細を備えた、図３ａの側面図である。
３ｄは、ミラー・セット間の角度を調節するためのメカニズムの詳細を備えた図３ａの側面図である。
【図４】
４ａは、内側セットが２つのＶ字状ミラー・セットからなる、本発明の別の実施形態を示す図である。
４ｂは、内側セットが２つのＶ字状ミラー・セットからなる、本発明の別の実施形態を示す図である。
４ｃは、内側セットが２つのＶ字状ミラー・セットからなる、本発明の別の実施形態を示す図である。
【図５】
５ａは、距離をおいたセッティングのために範囲が調節されるように、外側ミラーが内側ミラーのメカニズムへ連結することを示す。
５ｂは、近接するセッティングのために範囲が調節されるように、外側ミラーが内側ミラーのメカニズムへ連結することを示す。
【図６】
ミラーを収容し、回転可能な囲いの一例を示す。
【図７】
パーソナル・デジタル・アシスタント（ＰＤＡ）と共に用いられるような本発明を示す。
【図１】
2004510173.tif 000003
【図４】
2004510173.tif 000004
【国際公開パンフレット】
2004510173.tif 000005
2004510173.tif 000006
2004510173.tif 000007
2004510173.tif 000008
2004510173.tif 000009
2004510173.tif 000010
2004510173.tif 000011
2004510173.tif 000012
2004510173.tif 000013
2004510173.tif 000014
2004510173.tif 000015
2004510173.tif 000016
2004510173.tif 000017
2004510173.tif 000018
2004510173.tif 000019
2004510173.tif 000020
2004510173.tif 000021
2004510173.tif 000022
2004510173.tif 000023
【国際公開パンフレット（コレクトバージョン）】
2004510173.tif 000024
【国際調査報告】
2004510173.tif 000025
2004510173.tif 000026
2004510173.tif 000027